(57)【要約】【課題】      グリーン上でカップまでの距離を計測する実新登録第３０９８２０８号は、測長が身長に依存するためグリップに貼る距離表示ラベルは複数枚用意する必要があった。またグリーン傾斜角も大きくなると測長への影響が無視し得ない。【解決手段】      グリップ部に液晶表示器と操作ボタン及び演算処理機能を持った電子回路を組込み、プレーヤの身長を任意に入力可能とする一方、グリップと目線の交点はグリップ内臓の直列ＬＥＤを順次点灯する事で特定し、計算結果は液晶画面に表示する。更にグリーン傾斜角を電子的に読み取るセンサーをパターのヘッド部に組入れ、傾きの影響を排除した実長を換算表示する。また腕とパターを一体にした振子モデルからテークバック量とボールの転がり量の関係式を求め、先に換算した実長からグリーン傾斜角の影響を加味したテークバック量を同時に表示することで、的確な情報をプレーヤに提供する事ができる。【選択図】      図４
2005237396.tif 000002
【特許請求の範囲】
【請求項１】
パターのグリップ部には電源スイッチ、液晶表示器、身長スイッチ、計測スイッチ、アップ・ダウンスイッチ、複数ＬＥＤを直列に並べた位置表示器等を配置した操作パネルを具備し、内臓する回路基板には前記電子部品の他に演算処理回路、メモリー回路、インターフェース回路、電源回路、バッテリー等を実装し、伸ばした腕で前記パターのグリップ終端を目の高さに合わせて吊り下げ、カップを覗く目線と前記グリップとの交点からカップまでの距離を算出する方法において、前記目線の交点を前記ＬＥＤの順次点灯で判別入力し、プレーヤの身長に即したカップまでの距離数や推奨テークバック量の計算結果を前記液晶表示器に出力する事を特徴とした多機能付パター。
【請求項２】
パターヘッドのパッティング面には両端に突起があって、前記ヘッド中央付近にはヘッド底面にほぼ垂直に立てた台を具備し、前記パターのパッティング面を下にして横にした時、前記突起２箇所と前記パターのシャフトもしくはグリップ部の１個所が接地して安定する面と前記台が平行になり、しかもその台にはグリーンの傾き角を計測するセンサーが組込まれている事を特徴とした請求項１記載の多機能付パター。
【請求項３】
グリーン面の傾き角を計測するセンサーは、操作パネルに配置した傾斜角入力スイッチの作動で指定方位の傾き成分を電子的に読み取り、前記操作パネルに配置したＯＫボタン入力によって、計測済み距離数に対するグリーン傾斜角の影響を除算した修正距離数を、また推奨テークバック量は前記修正距離数に対してグリーン傾斜角の影響を加算した結果を、液晶表示器に出力する事を特徴とした請求項２記載の多機能付パター。
【請求項４】
操作パネルと電子回路ユニットは１つのケースに納めてグリップ部から分離し、着脱可能にしたことを特徴とする請求項１記載の多機能付パター。
【発明の詳細な説明】
【技術分野】
【０００１】      本考案はゴルフのパッティングの際に、カップまでの距離を簡単な方法で計測し、それに適したパターのテークバック量を自動的に計算して表示する手段を提供するものである。
【背景技術】
【０００２】      従来の計測方法はボールからカップまでの歩数で測っていたが誤差が大きく、精度良く測るには相当の経験が必要であった。
これを改善すべく実用新案登録第３０９８２０８号の距離計測方法は、図１に示す様にグリーン上のボール位置で、パターのグリップ終端を目の高さに合わせて吊り下げ、腕は伸ばしたままカップを覗きこんだ時の目線とパターの交点を検出し、グリップ終端から交点までの長さとプレーヤ身長からカップまでの距離を換算するものである。
さらには実願２００３−２７２９７３  の距離計測機能付パターでは、プレーヤの腕とパターを一体にした振子モデルから、テークバック量とボールの転がり量の関係式を求め、図２に示す様にグリーン傾斜角に対する転がり量の影響を調べている。また先の距離計測法においてもグリーン傾斜角の影響を調べ、安定的にボールが止まる範囲±３．３°における複合された影響を計算し、最大斜度３．３°でのテークバック量を平坦時の倍率で求めている。更にパターのグリップ部に貼る目盛りと推奨テークバック量の表示ラベルは、身長１５０ｃｍ〜１９０ｃｍ間で共通化が可能である事も述べている。【０００３】      グリーンの傾き角測定も重要な要素であり、この計測のために実用新案登録第３０９８２０７号の傾斜角計測方法は、図３に示す様に透明の球形容器に鋼球を入れ、その容器背面には同心円のリングを印刷して、鋼球とリングの位置関係から傾斜角を読取るものである。
特願２００３−１８９８６０の電子式傾きセンサーは、球形容器上面のカバー内側に中心から放射状に分割した複数電極と、鋼球を挟んで反対側の球面容器には同心円状の電極を複数配備して、上下電極をペアに通電を順次切替えて電気的容量変化から鋼球の静止場所を検出し、傾斜角と方位を読取るものである。
これらは全て個々に独立したシステムとして特許提案をしているが、本発明の目的はこれら独立したものを１本のパターに組込み、電子的処理によって相互の関係を統合した形でプレーヤに精度の高い情報を提供するものである。
【特許文献１】    実用新案登録第３０９８２０８号
【特許文献２】    実願２００３−２７２９７３号
【特許文献３】    実用新案登録第３０９８２０７号
【特許文献４】    特願２００３−１８９８６０号
【発明の開示】
【発明が解決しようとする課題】
【０００４】      実用新案登録３０９８２０８号はカップまでの距離計測法を提案しているが、プレーヤ個人の身長とグリーン傾斜角に影響されるため、その改善提案を実案２００３−２７２９７３でしている。即ち身長の差異は計測距離に直接影響するため、例えば身長１５０ｃｍ〜１９０ｃｍを対象に５〜１０ｃｍ刻みでグリップに貼る計測用目盛りを複数用意しなければならなかった。また急なグリーン傾斜角に対するテークバック量も平坦時の１．１〜０．５倍等、適宜状況に応じた判断がプレーヤに要求された。
【課題を解決するための手段】
【０００５】      前述した課題を解決するために本発明は、パターのグリップ部にバッテリー、電源回路、演算処理回路及びインターフェース回路とそれら回路を実装する基板を組込み、グリップ終端から数ｃｍの区間に操作ボタン類を配備して、それ以降約３０ｃｍの領域にＬＥＤを０．５〜１ｃｍごとに直列に配置する。プレーヤの身長はアップ・ダウンのスイッチで入力し、カップまでの距離計測は目線とグリップの交点を上記ＬＥＤ群から順次１ヶづつ点灯して、ほぼ一致する所でＯＫボタンを押す事で、あらゆる身長に即した距離数を計算して液晶表示器に出力する。【０００６】      パターにグリーン傾斜角センサーが組込まれている場合は、カップとボールを結ぶ直線上でパッティング面を下にしてパターを寝かせ、傾き入力ボタンを押すことで電子的にカップ方向の傾き角を検出し、次にＯＫボタンを押すと先に計測した距離数を実長に変換表示する。同じく推奨テークバック量は先の実長にグリーン傾斜角の影響を加算して液晶表示器へ出力する。
【発明の効果】
【０００７】      本発明ではプレーヤの身長差をフレキシブルに対応すべく、演算処理能力を持った回路基板をグリップ部に組み込み、プレーヤの身長を個別に入力することで単一の目盛りで距離計測が可能となった。ここで言う単一の目盛りとは、グリップ終端から数ｃｍを除く残り約３０ｃｍ区間に０．５〜１ｃｍ毎のＬＥＤを直線的に配列して、カップを覗く際にアップ・ダウンスイッチで順次ＬＥＤを点灯させ、交点付近のＬＥＤが点灯した時点でＯＫボタンを押す。他の入力ボタンを含め全てがメンブレンスイッチタイプにする事で防水機能を持たせる事ができる。
更に特願２００３−１８９８６０の電子式傾きセンサーをパターに組込むことで、傾き角入力スイッチを押すと検出角表示の外に、先に測ったカップまでの距離を実願２００３−２７２９７３に記載した方法で平坦の距離数に換算表示する一方、推奨テークバック量も同様に平坦距離数に対する傾斜角を加味した換算値を表示する事で、より精度の高い木目細かくプレーヤに情報提供ができる。
【発明を実施するための最良の形態】
【０００８】      以下、図面に基づいて多機能付パターの形態について説明する。
図４は本発明のシステムをグリップ部１に装填した場合の液晶表示器２や各種ボタンの配列案を示す概観図とその断面図が示されている。液晶表示器２は「身長」入力表示と「グリーン傾斜角、計測距離数、推奨テークバック量」の計測表示の２パターンがある。計測ＳＷ３を押してパターを吊り下げ目線位置を特定する時、アップ・ダウンＳＷ４でＬＥＤ群５を順次点灯させ、目線位置のＬＥＤ６が点灯した所でＯＫボタン７を押すと、計測距離数と推奨テークバック量が同時に液晶表示器２出力する一方、先の点灯したＬＥＤ６は消える。【０００９】      図５は特願２００３−１８９８６０で提案中のグリーン面傾斜角センサー８を組込んだパターの概観図と一部断面図を示している。パターヘッド９のパッティング面１０には左右端に突起１１を付け、パッティング面１０を下に寝かせた場合、グリップ部１の接地点１２と先の突起２個所で構成する平面Ｂと、傾斜角センサーの取付け面Ｃが平行となる。グリーン上のカップとボールを結ぶ線上でボール後方に本発明のパターを寝かせ、傾斜角入力ＳＷ１３を押すと電子的に読み取ったグリーン傾斜角を表示する一方、ＯＫボタン７を押すことで先に求めた計測距離数と推奨テークバック量を再計算して表示する。即ち計測距離数はグリーン傾斜角の影響を排除した実距離数に換算すると共に、その実距離数に対するグリーン傾斜角の影響を加味した推奨テークバック量を表示する。
単純に計測した場合の距離数とテークバック量に対し、グリーン傾斜角の影響を加味した換算値を区別するために、換算値を点滅表示するか特別のマークを追加表示すると良い。
【実施例１】
【００１０】      図６は本システ厶の回路ブロック図であり、この図を基に実施例を具体的に説明する。電源ＳＷ１４が入るとＣＰＵ１５は動作モードに入り、身長ＳＷ１６もしくは計測ＳＷ３の入力待ち状態に入る。計測ＳＷ３が入ると身長はメモリー１７に保存されている前データを使用し、次にアップ・ダウンＳＷ４が入ると直線状に配列されたＬＥＤ群５を順次上もしくは下方向に１個づつ点灯する。実用新案登録第３０９８２０８号に基づく距離計測法に従って、目線と一致する所のＬＥＤ６が点灯した所でＯＫボタン７を押すと、ＣＰＵ１５はプレーヤの身長に基づくカップまでの距離計算と、推奨するテークバック量を計算して液晶表示器２に出力する。
身長入力ＳＷ１６が働くとメモリー１７から読み出された現在の身長が液晶に表示され、アップ・ダウンＳＷ４で１ｃｍ刻みで増減させることが出来る。プレーヤの身長表示になった所でＯＫボタン７が押されると、表示データはメモリー１７に上書き保存される。【００１１】      計測モードでパターをグリーン上に寝かせ傾斜角入力ＳＷ１３を押すと、傾きセンサー８内の鋼球１８静止位置を電極１９とインターフェース回路２０を介してサーチし、検出電極位置データから傾き角を算出して液晶表示器２に出力する。鋼球１８の動きに連動した傾斜角表示が安定した頃を見てＯＫボタン７を押すと、角度表示を確定すると共に直前の計測距離数に対し、グリーン傾斜角の影響を排除した実長を算出して点滅再表示する。またその実長に対して傾斜角の影響を加味した推奨テークバック量も再計算して液晶画面に点滅表示する。ただし直前の計測距離数が無い場合は角度表示のみとなる。
再度カップまでの距離を計測する場合は都度計測ＳＷ３を押して、液晶表示中の値を消去してパターを吊り下げる。カップイン後は電源ＳＷ１４を押してシステムを終了させる。次のホールで再度距離計測する場合は電源ＳＷ１４を押してシステムを稼動させ、計測ＳＷ３を押した後にパターを吊り下げる等の一連の動作は前述と同じである。
【実施例２】
【００１２】      今までの説明はグリップ内部に電子回路を組込んだ案であったが、図７に示すように電子回路ユニットとバッテリーを薄いプレート状のケースに組込み、操作スイッチと液晶表示器及び目線交差位置検出用の直列ＬＥＤ等をケースの片面に配置すれば、既に市場に出ているパターへの装着も可能である。測長ユニット２１の一端にはパターのグリップ終端を収納するキャップ２２を持ち、他端にはベルト２３があってグリップもしくはシャフトに巻きつけ固定する。
操作手順はグリップ内臓タイプと基本的に同じであるが、傾斜角センサーが付属されていない場合は手入力で代用する。例えば角度センサーからのケーブルに付属するコネクタが本電子式測長ユニットに挿入されていない場合は手入力対応に切り替わり、角度入力ＳＷが押されるとアップ・ダウンＳＷの操作でグリーン傾斜角を入力する事が出来る。ＯＫボタンの入力で計測済み距離数とテークバック量を再計算して液晶表示器に表示をするのは前述の通りである。グリーン傾斜角の計測は実用新案登録第３０９８２０７号で提案する単独のセンサーを使えば約０．２度の分解能で測定が可能である。
或いは角度入力機能を最初から除外した測長機能と推奨テークバック量の表示だけにして、グリーン傾斜角による影響はプレーヤが都度判断し、表示された推奨テークバック量を適宜加減する方法でも、プレーヤにとっては貴重なデータ提供である。
【産業上の利用可能性】
【００１３】      幅３ｃｍ、全長３５ｃｍ程度の薄いプレート状のケースに本システムを組込み、片面には直線的に並べたＬＥＤ群を配置して目線との交差位置検出用に使い、裏面には電源ＳＷ、液晶表示器、身長入力ＳＷ、計測ＳＷ、ＯＫボタン等を配列すれば数１０ｍの測長器になる。小型軽量で持ち運びが便利なため、いろいろな分野で幅広く使える。
【図面の簡単な説明】
【００１４】
【図１】      グリーン上でのボールからカップまでの測長方法
【図２】      グリーン傾斜角とテークバック量の関係（身長１７０ｃｍ）
【図３】      グリーン傾斜角の測定原理
【図４】      本システムを組込んだグリップ部概観図とその断面図
【図５】      傾きセンサー付パターの概観図とヘッド断面図
【図６】      本システムの回路ブロック図
【図７】      グリップ部に着脱可能な電子式測長ユニット概観図
【符号の説明】
【００１５】１            本提案のグリップ部
２            液晶表示器
３            計測（距離、傾き角）ＳＷ
４            アップ・ダウンＳＷ
５            直線的に並べたＬＥＤ群
６            目線と交差する場所のＬＥＤ点灯表示
７            ＯＫボタン
８            グリーン面の傾斜角センサー
９            パターのヘッド部
１０          ヘッドのパッティング面
１１          パッティング面の両端に付けた突起
１２          グリップ部に付けた平行度調整機能付接地個所
１３          傾斜角入力ＳＷ
１４          電源ＳＷ
１５          演算処理用  ＣＰＵ
１６          身長入力ＳＷ
１７          メモリー
１８          鋼球
１９          鋼球静止位置検出用電極
２０          傾きセンサーのインターフェース回路
２１          測長ユニット
２２          グリップ終端に被せるキャップ
２３          グリップ部に固定するバンド
【図１】
2005237396.tif 000003
【図２】
2005237396.tif 000004
【図３】
2005237396.tif 000005
【図４】
2005237396.tif 000006
【図５】
2005237396.tif 000007
【図６】
2005237396.tif 000008
【図７】
2005237396.tif 000009